(57)【要約】【課題】現時点でのエネルギ消費状況に対しての改善実施と、実績値とをあわせて表示可能なエネルギ量管理方法およびエネルギ量管理装置の提供する。【解決手段】エネルギ量管理装置１は、管理対象施設で使用されるエネルギ使用実績量を収集して蓄積するエネルギ使用実績蓄積手段２と、省エネ施策登録手段３に予め登録されている省エネルギ施策を実施した履歴情報を受け付けて、実施した日時の情報と共に蓄積する省エネ施策実施履歴蓄積手段４と、エネルギ使用実績量を時系列でグラフ化するエネルギ使用実績表示手段５と、グラフデータを表示する際、当該グラフデータに含まれる時間帯に実施された履歴情報を示すマークを重畳表示する省エネ施策実施マーク表示手段６と、グラフデータに重畳表示された印が選択されると、当該印に対応する省エネルギ施策の詳細情報を表示する省エネ施策詳細表示手段７とからなる。【選択図】図１
2010271915.tif 000002
【特許請求の範囲】
【請求項１】
管理対象施設で使用されるエネルギ使用実績量を収集し、メモリに蓄積するエネルギ使用実績蓄積ステップと、
省エネルギ施策を実施した履歴情報を受け付けて、実施した日時の情報と共にメモリに蓄積する省エネ施策実施履歴蓄積ステップと、
前記エネルギ使用実績蓄積ステップで蓄積したエネルギ使用実績量を時系列でグラフ化し、当該グラフデータ上に前記省エネ施策実施履歴蓄積ステップで蓄積した履歴情報を関連付けて表示する表示ステップとを備えるエネルギ量管理方法。
【請求項２】
請求項１に記載のエネルギ量管理方法であって、
表示ステップでは、グラフデータを表示する際、省エネ施策実施履歴蓄積ステップで蓄積した履歴情報を検索して、当該グラフデータに含まれる時間帯に実施された履歴情報を示す印を重畳表示することを特徴とするエネルギ量管理方法。
【請求項３】
請求項２に記載のエネルギ量管理方法であって、
グラフデータに重畳表示された印が選択されると、当該印に対応する省エネルギ施策の実施対象機器および期待値を含む詳細情報を表示する省エネ施策詳細表示ステップを備えることを特徴とするエネルギ量管理方法。
【請求項４】
請求項２または請求項３に記載のエネルギ量管理方法であって、
表示ステップでは、グラフデータに重畳表示する印を、省エネルギ施策の種類に応じて変更することを特徴とするエネルギ量管理方法。
【請求項５】
管理対象施設で使用されるエネルギ使用実績量を収集して蓄積するエネルギ使用実績蓄積手段と、
省エネルギ施策を実施した履歴情報を受け付けて、実施した日時の情報と共に蓄積する省エネ施策実施履歴蓄積手段と、
前記エネルギ使用実績蓄積手段が蓄積したエネルギ使用実績量を時系列でグラフ化し、当該グラフデータに前記省エネ施策実施履歴蓄積手段が蓄積した履歴情報を関連付けて表示する表示手段とを備えるエネルギ量管理装置。
【請求項６】
請求項５に記載のエネルギ量管理装置であって、
表示手段は、グラフデータを表示する際、省エネ施策実施履歴蓄積手段が蓄積した履歴情報を検索して、当該グラフデータに含まれる時間帯に実施された履歴情報を示す印を重畳表示することを特徴とするエネルギ量管理装置。
【請求項７】
請求項６に記載のエネルギ量管理装置であって、
グラフデータに重畳表示された印が選択されると、当該印に対応する省エネルギ施策の実施対象機器および期待値を含む詳細情報を表示する省エネ施策詳細表示手段を備えることを特徴とするエネルギ量管理装置。
【請求項８】
請求項６または請求項７に記載のエネルギ量管理装置であって、
表示手段は、グラフデータに重畳表示する印を、省エネルギ施策の種類に応じて変更することを特徴とするエネルギ量管理装置。
【発明の詳細な説明】
【技術分野】
【０００１】
本発明は、施設のエネルギ使用量を管理して、省エネルギ化を可視化するエネルギ量管理方法およびエネルギ量管理装置に関するものである。
【背景技術】
【０００２】
建物で使用されるエネルギの年間または月間の目標値に対する現時点のエネルギ消費状況を判断するために用いるエネルギ量管理装置が、例えば特許文献１に提案されている。このエネルギ量管理装置は、現時点におけるエネルギ消費の実績値が入力されると、入力された現時点の実績値と所定期間の目標値とを照合して、その照合結果を月形式、日形式、または時間形式の累積グラフにして、所定期間の目標値に対する現時点の状況を表示していた。
【先行技術文献】
【特許文献】
【０００３】
【特許文献１】特開２００８−２３６９０４号公報
【発明の概要】
【発明が解決しようとする課題】
【０００４】
従来のエネルギ量管理装置は以上のように構成されているので、所定期間の目標値に対する現在の状況はグラフ表示にて確認できるが、省エネルギ対策を講じた場合にはいつどのような対策を講じたか、対策実行以降に実績値がどのように変化したか、改善したか等についてグラフ表示だけでは把握できないという課題があった。
【０００５】
この発明は、上記のような課題を解決するためになされたもので、現時点でのエネルギ消費状況に対しての改善実施の情報と、実績値とをあわせて表示することができるエネルギ量管理方法およびエネルギ量管理装置の提供を目的とする。
【課題を解決するための手段】
【０００６】
この発明に係るエネルギ量管理方法は、管理対象施設で使用されるエネルギ使用実績量を収集し、メモリに蓄積するエネルギ使用実績蓄積ステップと、省エネルギ施策を実施した履歴情報を受け付けて、実施した日時の情報と共にメモリに蓄積する省エネ施策実施履歴蓄積ステップと、エネルギ使用実績蓄積ステップで蓄積したエネルギ使用実績量を時系列でグラフ化し、当該グラフデータ上に省エネ施策実施履歴蓄積ステップで蓄積した履歴情報を関連付けて表示する表示ステップとを備えるようにしたものである。
【０００７】
この発明に係るエネルギ量管理方法は、表示ステップでは、グラフデータを表示する際、省エネ施策実施履歴蓄積ステップで蓄積した履歴情報を検索して、当該グラフデータに含まれる時間帯に実施された履歴情報を示す印を重畳表示するようにしたものである。
【０００８】
この発明に係るエネルギ量管理方法は、グラフデータに重畳表示された印が選択されると、当該印に対応する省エネルギ施策の実施対象機器および期待値を含む詳細情報を表示する省エネ施策詳細表示ステップを備えるようにしたものである。
【０００９】
この発明に係るエネルギ量管理方法は、表示ステップでは、グラフデータに重畳表示する印を、省エネルギ施策の種類に応じて変更するようにしたものである。
【００１０】
この発明に係るエネルギ量管理装置は、管理対象施設で使用されるエネルギ使用実績量を収集して蓄積するエネルギ使用実績蓄積手段と、省エネルギ施策を実施した履歴情報を受け付けて、実施した日時の情報と共に蓄積する省エネ施策実施履歴蓄積手段と、エネルギ使用実績蓄積手段が蓄積したエネルギ使用実績量を時系列でグラフ化し、当該グラフデータに省エネ施策実施履歴蓄積手段が蓄積した履歴情報を関連付けて表示する表示手段とを備えるようにしたものである。
【００１１】
この発明に係るエネルギ量管理装置は、表示手段は、グラフデータを表示する際、省エネ施策実施履歴蓄積手段が蓄積した履歴情報を検索して、当該グラフデータに含まれる時間帯に実施された履歴情報を示す印を重畳表示するようにしたものである。
【００１２】
この発明に係るエネルギ量管理装置は、グラフデータに重畳表示された印が選択されると、当該印に対応する省エネルギ施策の実施対象機器および期待値を含む詳細情報を表示する省エネ施策詳細表示手段を備えるようにしたものである。
【００１３】
この発明に係るエネルギ量管理装置は、表示手段は、グラフデータに重畳表示する印を、省エネルギ施策の種類に応じて変更するようにしたものである。
【発明の効果】
【００１４】
この発明によれば、エネルギ使用実績量を時系列でグラフ化し、当該グラフデータに省エネルギ施策実施の履歴情報を関連付けて表示するようにしたので、現時点でのエネルギ消費状況に対しての省エネルギ施策の実施状況と、実績量とをあわせて表示可能なエネルギ量管理方法およびエネルギ量管理装置を提供することができる。そのため、省エネルギ活動の効率的な効果確認および分析に役立ち、エネルギ消費量の管理を効果的に行うことができる。
【００１５】
この発明によれば、省エネルギ施策実施の履歴情報を検索して、グラフデータに含まれる時間帯に実施された履歴情報を示す印を重畳表示するようにしたので、省エネルギ施策をいつ実施したか、実施以降にエネルギ使用実績量がどのように変化したか、改善したかといった確認を効率的にできる。
【００１６】
この発明によれば、グラフデータに重畳表示された印が選択されると、印に対応する省エネルギ施策の詳細情報を表示するようにしたので、実施した省エネルギ施策の詳細をグラフ表示とあわせて効率的に確認することができる。
【００１７】
この発明によれば、グラフデータに重畳表示する印を、省エネルギ施策の種類に応じて変更するようにしたので、いつどのような省エネルギ施策を実施したかの確認を効率的にできる。
【図面の簡単な説明】
【００１８】
【図１】この発明の実施の形態１に係るエネルギ量管理装置の構成を示すブロック図である。
【図２】実施の形態１の省エネ施策登録手段が保持する省エネルギ施策一覧の一例を示す説明図である。
【図３】実施の形態１の省エネ施策実施履歴蓄積手段が保持する省エネ施策実施履歴情報一覧の一例を示す説明図である。
【図４】実施の形態１に係るエネルギ量管理装置の画面表示例を示す説明図である。
【図５】実施の形態１に係るエネルギ量管理装置の動作を示すフローチャートである。
【発明を実施するための形態】
【００１９】
実施の形態１．
図１は、この発明の実施の形態１に係るエネルギ量管理装置１の構成を示すブロック図である。図１に示すエネルギ量管理装置１は、メモリ等を有するエネルギ使用実績蓄積手段２、省エネ施策登録手段３、および省エネ施策実施履歴蓄積手段４と、表示部の画面表示を制御可能なエネルギ使用実績表示手段５、省エネ施策実施マーク表示手段６、および省エネ施策詳細表示手段７と、キーボード、マウス等の操作部を有する操作手段８とから構成される。
【００２０】
エネルギ使用実績蓄積手段２は、建物等のエネルギ量管理対象施設で使用されるエネルギ使用量の実績値の情報を所定間隔で収集し、１時間あたり、１日あたりといった所定期間単位に累積したエネルギ使用実績量としてメモリ等に蓄積する。
【００２１】
省エネ施策登録手段３は、操作手段８等によって入力される省エネルギ施策の情報を受け付けて、メモリ等に予め登録しておく。図２は、省エネ施策登録手段３が保持する省エネルギ施策一覧の一例を示す説明図であり、省エネルギ施策として、施策内容と表示用のマークが登録される。この表示用マークは、省エネルギ施策の種類に応じて付与される。
【００２２】
省エネ施策実施履歴蓄積手段４は、省エネ施策登録手段３に登録された省エネルギ施策が実施されると、その実施の履歴情報を受け付けて、実施日時の情報と合わせてメモリ等に蓄積する。図３は、省エネ施策実施履歴蓄積手段４が保持する省エネ施策実施履歴情報一覧の一例を示す説明図であり、履歴情報として、実施日時、実施した施策内容、省エネ試算値である期待値および表示用のマークが登録される。この表示用のマークは、省エネ施策登録手段３と共通して、省エネルギ施策の種類に応じて付与される。
【００２３】
エネルギ使用実績表示手段５は、操作手段８からの要求に応じて、エネルギ使用実績蓄積手段２からエネルギ使用実績量の情報を読み出して、所定期間単位、１時間単位または１日単位、機器単位等に集計してグラフデータを作成し、グラフを画面表示する。図４は、エネルギ量管理装置１の画面表示例を示す説明図であり、エネルギ使用実績表示手段５によるグラフデータと、後述する省エネ施策実施マーク表示手段６による省エネルギ施策実施を示すマークとを重畳表示した画面を示す。図４のグラフデータは、横軸が時間軸、縦軸はエネルギ使用量を示し、エネルギ使用量は１日単位の、管理区域毎の、照明機器のエネルギ使用量を集計した実績量である。
【００２４】
省エネ施策実施マーク表示手段６は、エネルギ使用実績表示手段５の作成したグラフデータの時間軸に実施された省エネルギ施策を、省エネ施策実施履歴蓄積手段４が保持する省エネ施策実施履歴情報一覧から検索する。検索の結果、実施した省エネルギ施策の履歴情報があった場合は、省エネ施策実施マーク表示手段６はその省エネルギ施策の種類に応じた表示用のマークをグラフデータ上に表示させる。図４のグラフデータには、１１月１９日に実施された省エネルギ施策を示すマーク１０と、１２月１日に実施された省エネルギ施策を示すマーク１１が重畳表示されている。
【００２５】
省エネ施策詳細表示手段７は、画面表示中のマークが操作手段８によって選択されると、そのマークに応じた省エネルギ施策の履歴情報を省エネ施策実施履歴蓄積手段４が保持する省エネ施策実施履歴情報一覧から取得して、画面表示する。また、標識有効範囲データ記録部７は、必要に応じて、省エネ施策登録手段３が保持する省エネルギ施策一覧からマークに応じた情報を取得してもよい。例えば、図４のグラフデータに表示されたマーク１１が選択されると、１２月１日に実施された省エネルギ施策の履歴情報（具体的に実施した内容）および省エネルギ試算値（期待値）が詳細情報１２として表示される。
【００２６】
次に、エネルギ量管理装置１の動作を説明する。図５は、実施の形態１に係るエネルギ量管理装置１の動作を示すフローチャートである。省エネ施策登録手段３の保持する省エネルギ施策一覧には予め省エネルギ施策が登録されているものとする。
ステップＳＴ１において、エネルギ使用実績蓄積手段２が建物内のエネルギ使用量を所定期間単位に収集すると共に、省エネ施策実施履歴蓄積手段４が実施された省エネルギ施策の内容を実施日時とあわせて省エネ施策実施履歴情報一覧に記録する。
【００２７】
操作手段８を通じて画面表示要求があると（ステップＳＴ２“ＹＥＳ”）、エネルギ使用実績表示手段５が、予め設定された条件に従って、所定期間あたりのエネルギ使用実績値をグラフ表示する（ステップＳＴ３、図４）。さらに、省エネ施策実施マーク表示手段６が、グラフ表示期間中に実施された省エネルギ施策を省エネ施策実施履歴情報一覧から検索して（ステップＳＴ４）、検索の結果、実施された省エネルギ施策があれば（ステップＳＴ５“ＹＥＳ”）、省エネ施策実施マーク表示手段６が、該当する省エネルギ施策に応じた表示用のマークを、グラフ中の実施した時間軸に表示する（ステップＳＴ６、図４のマーク１０，１１）。
【００２８】
実施した省エネルギ施策を示すマークが重畳表示されたグラフデータが画面に表示されているとき、操作手段８を通じて画面表示中のマークが選択されると（ステップＳＴ７“ＹＥＳ”）、省エネ施策詳細表示手段７が、選択されたマークに対応する省エネルギ施策の詳細を取得して、画面に詳細情報のウインドウを表示する（ステップＳＴ８、図４の詳細情報１２）。
【００２９】
なお、実施された省エネルギ施策がない場合（ステップＳＴ４“ＮＯ”）、およびグラフ中のマーク選択がなされない場合（ステップＳＴ７“ＮＯ”）には、ステップＳＴ２の画面表示要求に応じた一連の処理は終了とし、通常のエネルギ使用量収集と省エネルギ施策実施監視の処理に戻る。
【００３０】
以上より、実施の形態１によれば、エネルギ量管理装置１を、管理対象施設で使用されるエネルギ使用実績量を収集して蓄積するエネルギ使用実績蓄積手段２と、省エネ施策登録手段３に予め登録されている省エネルギ施策を実施した履歴情報を受け付けて、実施した日時の情報と共に蓄積する省エネ施策実施履歴蓄積手段４と、エネルギ使用実績蓄積手段２が蓄積したエネルギ使用実績量を時系列でグラフ化するエネルギ使用実績表示手段５と、グラフデータを表示する際、省エネ施策実施履歴蓄積手段４が蓄積した履歴情報を検索して、当該グラフデータに含まれる時間帯に実施された履歴情報を示すマークを重畳表示する省エネ施策実施マーク表示手段６と、グラフデータに重畳表示された印が選択されると、当該印に対応する省エネルギ施策の実施対象機器および期待値を含む詳細情報を表示する省エネ施策詳細表示手段７とから構成した。このため、実施した省エネルギ施策が実際のエネルギ消費量にどのような効果をもたらしたかについて可視化することで施策実施とその結果の因果関係が分かりやすくなる。この結果、省エネルギ活動の効率的な効果確認および分析に役立つエネルギ量管理装置およびその方法を提供でき、エネルギ消費量の管理を効果的に行うことができる。
【００３１】
また、実施の形態１によれば、省エネ施策実施マーク表示手段６が、グラフデータに重畳表示するマークを、省エネルギ施策の種類に応じて変更するように構成した。このため、いつどのような省エネルギ施策を実施したかの確認をグラフ表示画面上で効率的にできる。
【符号の説明】
【００３２】
１  エネルギ量管理装置
２  エネルギ使用実績蓄積手段
３  省エネ施策登録手段
４  省エネ施策実施履歴蓄積手段
５  エネルギ使用実績表示手段
６  省エネ施策実施マーク表示手段
７  省エネ施策詳細表示手段
８  操作手段
１０，１１  マーク
【図１】
2010271915.tif 000003
【図２】
2010271915.tif 000004
【図３】
2010271915.tif 000005
【図４】
2010271915.tif 000006
【図５】
2010271915.tif 000007